(57)【要約】【課題】  部品点数が少なく簡単な構造で、かつ配線の省スペース化に有利なディスク装置およびディスク装置のフレキシブルプリント基板配線構造を提供する。【解決手段】  ディスク媒体に対し情報の読み取りまたは情報を書き込みを行なうヘッドが組み込まれた複数のヘッドジンバルアセンブリと、この複数のヘッドジンバルアッセンブリの間に挿入されるキャリッジスペーサと、ヘッドジンバルアッセンブリおよびキャリッジスペーサを軸方向に積層して構成されるヘッドスタックアセンブリと、ヘッドを所定の位置に移動させるためのボイスコイルモータと、ヘッドからの信号を伝達しかつ前記ボイスコイルモータに電流を供給するためのフレキシブルプリント基板とを有し、キャリッジスペーサの側面に圧入固定され前記フレキシブルプリント基板を前記キャリッジスペーサ横で１８０°折り返して固定するためのＬ字型のフック部材とを具備する【選択図】      図２
2005108364.tif 000002
【特許請求の範囲】
【請求項１】
情報を記録可能な円盤状のディスク媒体と、
前記ディスク媒体に対し情報の読み取り、または情報を書き込みを行なうヘッドと、
前記ヘッドが組み込まれた複数のヘッドジンバルアセンブリと、
前記複数のヘッドジンバルアッセンブリの間に挿入されるキャリッジスペーサと、
前記ヘッドジンバルアッセンブリおよび前記キャリッジスペーサを軸方向に積層して構成されるヘッドスタックアセンブリと、
前記ヘッドを所定の位置に移動させるためのボイスコイルモータと、
前記ヘッドからの信号を伝達し、かつ前記ボイスコイルモータに電流を供給するためのフレキシブルプリント基板と、
前記キャリッジスペーサの側面に圧入固定され、前記フレキシブルプリント基板を前記キャリッジスペーサ横で１８０°折り返して固定するためのＬ字型のフック部材と
を具備することを特徴とするディスク装置。
【請求項２】
ディスク媒体に対し情報を読み取り、または情報を書き込みを行なうヘッドと、
前記ヘッドが組み込まれた複数のヘッドジンバルアセンブリと、
前記複数のヘッドジンバルアッセンブリの間に挿入されるキャリッジスペーサと、
前記ヘッドジンバルアッセンブリおよび前記キャリッジスペーサを軸方向に積層して構成されるヘッドスタックアセンブリと、
前記ヘッドを所定の位置に移動させるため駆動力を発生するのボイスコイルと、
前記ヘッドからの信号を伝達し、かつ前記ボイスコイルに電流を供給するためのフレキシブルプリント基板と、
前記キャリッジスペーサの側面に圧入固定され、前記フレキシブルプリント基板を前記キャリッジスペーサ横で１８０°折り返して固定するためのＬ字型のフック部材と
を具備することを特徴とするディスク装置のフレキシブルプリント基板配線構造。
【発明の詳細な説明】
【技術分野】
【０００１】
この発明は、ディスク装置における配線構造に関し、特に、ディスク装置内のヘッドと電子部品を繋ぐフレキシブルプリント基板の配線構造に関する。
【背景技術】
【０００２】
磁気ディスク装置等のディスク装置に用いられるヘッドスタックアッセンブリ（以下、ＨＳＡと称する）には、記録再生ヘッドからの信号と、ボイスコイルモータ（以下、ＶＣＭと称する）への駆動電流を伝達するためのフレキシブルプリント基板（以下、ＦＰＣと称する）が配線されている。
【０００３】
ＦＰＣは、ＨＳＡの回転動作に及ぼす影響を極力小さくするよう引き回す必要があり、また、ＨＳＡが繰り返し回転動作することによって断線が起こらないよう、構造ができるだけシンプルであることが望ましい。
【０００４】
ＦＰＣは、ＨＳＡにおいてヘッドからの信号線やＶＣＭからの配線をハンダ付けした後、１８０°折り返す必要が生じる場合がある。折り返し部分は度重なる回転動作に耐えうるよう固定しておく必要があり、従来はＦＰＣ折り返し部にストッパを取り付けて固定する方法がとられてきた。
【０００５】
また、ＦＰＣを２つの部位に分けて構成し、それらをコネクタ部にて接続するフレキシブルプリント回路基板用コネクタ、これを備えたアクチュエータ、およびディスク装置が先行技術として提案されている。
【０００６】
【特許文献１】特開２００３−１７１６６公報（概要、図３）
【発明の開示】
【発明が解決しようとする課題】
【０００７】
しかし、上記特許文献１などのフレキシブルプリント回路基板の接続方法では、ハンダ付け用の金属製裏打ち板とは別に、ストッパを引掛けるための厚いポリイミド製裏打ち板をＦＰＣに取り付けなければならず、スペース上不利であるという問題があった。近年は磁気ディスク装置もより一層の小型・薄型化が要求されてきており、ＶＣＭスペース確保のために配線の体積についても小型化・薄型化の要求を無視できなくなってきている。
【０００８】
また、上記特許文献１に開示された先行技術の場合、コネクタの構造が複雑となり、生産コストが高くなるという点でデメリットがある。
この発明の目的は上記の問題を解決するためになされたものであり、部品点数が少なく簡単な構造で、かつ配線の省スペース化に有利なディスク装置およびディスク装置のフレキシブルプリント基板配線構造を提供することにある。
【課題を解決するための手段】
【０００９】
上記した課題を解決するために、この発明のディスク装置は、情報を記録可能な円盤状のディスク媒体と、前記ディスク媒体に対し情報の読み取り、または情報を書き込みを行なうヘッドと、前記ヘッドが組み込まれた複数のヘッドジンバルアセンブリと、前記複数のヘッドジンバルアッセンブリの間に挿入されるキャリッジスペーサと、前記ヘッドジンバルアッセンブリおよび前記キャリッジスペーサを軸方向に積層して構成されるヘッドスタックアセンブリと、前記ヘッドを所定の位置に移動させるためのボイスコイルモータと、前記ヘッドからの信号を伝達し、かつ前記ボイスコイルモータに電流を供給するためのフレキシブルプリント基板と、前記キャリッジスペーサの側面に圧入固定され、前記フレキシブルプリント基板を前記キャリッジスペーサ横で１８０°折り返して固定するためのＬ字型のフック部材とを具備することを特徴とするものである。
【００１０】
また、この発明のディスク装置のフレキシブルプリント基板配線構造は、ディスク媒体に対し情報を読み取り、または情報を書き込みを行なうヘッドと、前記ヘッドが組み込まれた複数のヘッドジンバルアセンブリと、前記複数のヘッドジンバルアッセンブリの間に挿入されるキャリッジスペーサと、前記ヘッドジンバルアッセンブリおよび前記キャリッジスペーサを軸方向に積層して構成されるヘッドスタックアセンブリと、前記ヘッドを所定の位置に移動させるため駆動力を発生するのボイスコイルと、前記ヘッドからの信号を伝達し、かつ前記ボイスコイルに電流を供給するためのフレキシブルプリント基板と、前記キャリッジスペーサの側面に圧入固定され、前記フレキシブルプリント基板を前記キャリッジスペーサ横で１８０°折り返して固定するためのＬ字型のフック部材とを具備することを特徴とするものである。
【発明の効果】
【００１１】
この発明によれば、このような構成にすることで、ＦＰＣの形状を工夫し、キャリッジスペーサに取り付けたＬ字型フックを用いることでＦＰＣの折り返し固定することで、ストッパが不要になり、ストッパを引掛けるために厚いポリイミド製裏打ち板を取り付けなければならないといったスペース的に不利な点を解消することが可能となる。また、ＨＳＡの小型化に有利であると同時に部品点数を削減でき、コスト面削減の点で有利である。さらに、本発明のフックは非常に単純な形状をしており、板材の簡単な折り曲げのみの加工で製作が可能であるため、コネクタを作成する場合と比較して、加工コストを低減することが可能となる。
【発明を実施するための最良の形態】
【００１２】
以下、この発明の実施の形態について、図面を参照しながら詳細に説明する。
本発明の実施形態に係るディスク装置である磁気ディスク装置（ＨＤＤ）の構造を図１を用いて説明する。
磁気ディスク装置１は、上面の開口した矩形箱状のベース２と、複数のねじによりベースにねじ止めされてベースの上端開口を閉塞する（図示しない）トップカバーを有している。
【００１３】
ベース２内には、ディスク状の記録媒体（ディスク媒体）としての二枚の磁気ディスク３、この磁気ディスク３を支持および回転させる駆動手段としてのスピンドルモータ４、磁気ディスク３に対して情報の書き込み・読み出しを行う複数の磁気ヘッド５、これらの磁気ヘッド５を磁気ディスク４に対して移動自在に支持したヘッドアクチュエータ６、ヘッドアクチュエータ６を回転および位置決めするボイスコイルモータ（以下、ＶＣＭと称する）７、磁気ヘッド５が磁気ディスク４の最外周の退避位置に移動した際、磁気ヘッド５を磁気ディスク４から離間した位置に保持するランプロード機構８、ヘッドアクチュエータ６を退避位置に保持するイナーシャラッチ機構９、およびヘッドＩＣ等を有する基板ユニット１０などが収納されている。
【００１４】
前記ＶＣＭは、磁性体から成るトップヨーク９１およびボトムヨーク９２（図示しない）ボイスコイルモータ用マグネット、ヘッドアクチュエータ６の磁気ヘッド８が搭載される端部と逆の端部に設けられた（図示しない）ボイスコイルで構成されている。
【００１５】
イナーシャラッチ機構９は、回転中心からずれた位置に重心を有することで外部からの衝撃加速度により正逆両方向に回転するイナーシャアーム、およびこのイナーシャアームの回転により付勢されて一方向に回転するラッチアームを有し、非動作時における衝撃発生時、ラッチアームの回動の先端に突設されたラッチ爪がヘッドアクチュエータ６と係合することによりヘッドアクチュエータ６を退避位置に保持するような構造になっている。
【００１６】
次に本発明の実施形態に係るＨＳＡの構造を、図２乃至図８を用いて詳細に説明する。
図２は本発明の実施形態に係るＨＳＡの斜視図で、図示しないヘッドＩＣなどの電子部品が搭載されるメインＦＰＣからの配線がＨＳＡにＦＰＣ１０２を介して接続されている。また、ヘッドジンバルアッセンブリ（以下、ＨＧＡと称する）３０３からはヘッドからの配線がヘッドＦＰＣにより形成され、ＨＳＡの横に金属製裏打ち板１０３と共に配置されている。
【００１７】
さらに、前述のメインＦＰＣのＦＰＣ１０２のＨＳＡ横に配置された接続端部にはフック形成部１０１が形成された構造をとる。
図３は本発明の実施形態に係るＨＳＡ横部に、ヘッドＦＰＣ及びメインＦＰＣが搭載された状態を真横から示した図である。
複数のＨＧＡにそれぞれ配設されたヘッドＦＰＣには、ヘッド信号線３０１が設けられ、ＨＳＡ横に軸方向に折り曲げた状態で配置されている。
ヘッド信号線３０１は、メインＦＰＣの端部であるＦＰＣ３０４にハンダ付けされ固定されている。
次に本発明の実施形態に係るＨＳＡの一部を構成するキャリッジスペーサ３０５の構造を図７を用いて説明する。図７に示すように、キャリッジスペーサ３０５の側面には円形の穴が空けられており、金属製（ステンレスなど）のＬ字型をしたフック３０２が圧入されている。このＬ字型に形成されたフック３０２は、図６に示すように、金属板を折り曲げてで作成されており、キャリッジスペーサ３０５に圧入される端部は予め環状に折り曲げられており、この環状部と対向する他の端部がＬ字型に折り曲げて折り曲げ部を形成している。
【００１８】
図３に戻り更に説明すると、ＦＰＣ３０４には、キャリッジスペーサ３０５に圧入されたフック３０２の端部をよける形でスリット３０７が形成されている。また、ＦＰＣ３０４には、スリット３０７付近にランド３０６が設けられている。
【００１９】
図８はＨＳＡへのＦＰＣ３０４の接続状態を説明する断面図であり、図８に示すようにＦＰＣ３０４とキャリッジスペーサ３０４に圧入して設けられたフック３０２が、ハンダ３１２により固定される。
【００２０】
次に、図４を用いて本発明の実施形態に係るＦＰＣ３０４の構造を詳細に説明する。ＦＰＣ３０４は、図４に示すように段付形状をしており、はめ込み部３１１、抜け防止部３１０、突起部３０９が連続して設けられている。このＦＣＰ３０４に設けられたはめ込み部３１１、抜け防止部３１０、突起部３０９は、図４に示すように、はめ込み部３１１、抜け防止部３１０、突起部３０９の幅をそれぞれＤ１、Ｄ２、Ｄ３とし、２本のフック３０２のＬ字に折り曲げられた先端同士の間隔をＤ４、フック３０２内側間隔をＤ５とした場合に、Ｄ１＜Ｄ４、かつＤ４＜Ｄ２＜Ｄ５、かつＤ５＜Ｄ３の関係を満たすような形状に形成されている。また、ＦＰＣ３０４には折り曲げ位置３０８が設定されている。
【００２１】
次に、ＦＰＣ３０４を折り曲げ位置３０８で折り曲げた状態を側面から見た図を図５に示す。フック３０２は、まず折り曲げ位置３０８において面外方向に１８０°折り曲げられ、はめ込み部３１１によりフック３０２に挿入される。さらに、フック３０２の弾性により、突出部３１４がフック端３１３に突き当たる位置で保持される。
【００２２】
以上、上述したように、本発明では、ＦＰＣ３０４の形状を工夫し、キャリッジスペーサ３０５に取り付けたフック３０２を用いることでＦＰＣ３０４の折り返し固定することで、従来必要であったストッパ部材等を引掛けるためにポリイミド製裏打ち板を重ねて取り付ける必要がなく、ＨＳＡの小型化に有利であると同時に部品点数を削減できる。
【００２３】
また、メインＦＰＣとヘッドＦＰＣをコネクタにより接続するような先行技術の構造と比較して、本発明の実施形態で用いるフック３０２は非常に単純な形状をしており、板材の簡単な折り曲げのみの加工で製作が可能であるため、加工コストを低減できる。
【００２４】
なお、本発明は上述した磁気ディスク装置に限定されるものではなく、ロータリーアクチュエータを用いた他のディスク装置、例えば、光磁気ディスク装置、オプティカルディスク装置にも適用可能であることは言うまでもない。
【図面の簡単な説明】
【００２５】
【図１】本発明の実施形態に係る磁気ディスク装置の構造を示す概略構成斜視図（カバーなし）。
【図２】本発明の実施形態に係るＨＳＡの斜視図。
【図３】本発明の実施形態に係るＨＳＡ横部にヘッドＦＰＣ及びメインＦＰＣが搭載された状態を真横から示した図。
【図４】本発明の実施形態に係るＦＰＣの構造を詳細に示す図。
【図５】本発明の実施形態に係るＦＰＣを折り曲げ位置３０８で折り曲げた状態を側面から見た説明図。
【図６】本発明の実施形態に係るフックの形状を示す説明図。
【図７】本発明の実施形態に係るキャリッジスペーサ及びフックの取り付け状態を示す説明図。
【図８】本発明の実施形態に係るＦＰＣのＨＳＡへの接続状態を説明する断面図。
【符号の説明】
【００２６】
１……磁気ディスク装置
２……ベース
３……磁気ディスク媒体
４……スピンドルモータ（ＳＰＭ）
５……磁気ヘッド
６……アクチュエータ
７……ボイスコイルモータ（ＶＣＭ）
８……ランプ機構
９……イナーシャラッチ機構
１０１……フック形成部
１０２……ＦＰＣ
１０３……金属製裏打ち板
３０１……ヘッド信号線
３０２……フック
３０３……ヘッドジンバルアッセンブリ（ＨＧＡ）
３０４……フレキシブルプリント基板（ＦＰＣ）
３０５……キャリッジスペーサ
３０６……ランド
３０７……スリット
３０８……折り曲げ位置
３０９……突起部
３１０……抜け防止部
３１１……はめ込み部
３１３……フック端
３１４……突起部端
【図１】
2005108364.tif 000003
【図２】
2005108364.tif 000004
【図３】
2005108364.tif 000005
【図４】
2005108364.tif 000006
【図５】
2005108364.tif 000007
【図６】
2005108364.tif 000008
【図７】
2005108364.tif 000009
【図８】
2005108364.tif 000010